(57)【特許請求の範囲】
【請求項１】
変更可能な色を有して出る光を生成する光源であって、一次放射を発する少なくとも１つの発光ダイオードを備える光源において、
−  前記発光ダイオードに接続されている層であって、前記一次放射を二次放射に変換する少なくとも１つの発光材料を含んでいる層と、
−  前記一次放射及び／又は前記二次放射を含む光を供給するためにパルス成形された電流によって前記ダイオードを駆動させるスイッチング装置であって、前記光の輝度と色との各々を独立に変化させるように、パルス毎のエネルギ密度によって前記発光材料の飽和度を調整すると共に、パルスの数によって全体の光出力を制御する、スイッチング装置と、
を有する光源。
【請求項２】
前記パルス成形された電流はパルス幅変調されていることを特徴とする、請求項１に記載の光源。
【請求項３】
前記一次放射は可視光又は不可視光であることを特徴とする、請求項１又は２に記載の光源。
【請求項４】
前記発光材料は蛍光体であることを特徴とする、請求項１乃至３の何れか一項に記載の光源。
【請求項５】
前記層は、
（赤色）
ＣａＳ：Ｅｕ，ＳｒＳ：Ｅｕ，（Ｃａ，Ｓｒ）Ｓ：Ｅｕ，（Ｙ，Ｇｄ）２Ｏ２Ｓ：Ｅｕ，Ｙ（ＶＯ４）：Ｅｕ，（Ｓｒ，Ｂａ，Ｃａ）２Ｓｉ５Ｎ８：Ｅｕ，
（緑／黄色）
Ｙ３Ａｌ５Ｏ１２：Ｃｅ，（Ｙ，Ｇｄ）３Ａｌ５Ｏ１２：Ｃｅ，（Ｂａ，Ｓｒ，Ｃａ）２ＳｉＯ４：Ｅｕ，ＣａＳ：Ｃｅ，ＺｎＳ：Ｃｕ，Ｌａ（ＰＯ４）:（Ｃｅ，Ｔｂ），（Ｃｅ，Ｔｂ）Ａｌ１２Ｏ１９，（Ｃｅ，Ｇｄ，Ｔｂ）ＭｇＢ５Ｏ１０，ＢａＭｇＡｌ１０Ｏ１７：Ｅｕ，Ｍｎ，ＺｎＳ：Ａｕ，
（青色）
ＣａＳ：Ｃｕ，ＳｒＳ：Ａｇ，ＺｎＳ：Ａｇ，ＢａＭｇＡｌ１０Ｏ１７：Ｅｕ又は（Ｃａ，Ｓｒ，Ｂａ）５（ＰＯ４）３Ｃｌ：Ｓｂ，（Ｃａ，Ｓｒ，Ｂａ）５（ＰＯ４）３Ｃｌ：Ｅｕ，
（白色）
（Ｃａ，Ｓｒ，Ｂａ）５（ＰＯ４）３（Ｆ，Ｃｌ）：Ｓｂ，Ｍｎ，（Ｃａ，Ｓｒ，Ｂａ）５（ＰＯ４）３（Ｆ，Ｃｌ）：Ｅｕ，Ｍｎ
の蛍光体の少なくとも１つ又は組み合わせを有していることを特徴とする、請求項１乃至４の何れか一項に記載の光源。
【請求項６】
前記層の前記蛍光体材料は、１．５ｇ／ｃｍ３≦ｄ≦１０ｇ／ｃｍ３である密度を有することを特徴とする、請求項１乃至５何れか一項に記載の光源。
【請求項７】
前記層は蛍光体粒子を含んでおり、前記層は少なくとも１つの粒状層を有していることを特徴とする、請求項１乃至６の何れか一項に記載の光源。
【請求項８】
前記層は、１≦x≦１０であるｘ個の粒状層を有することを特徴とする、請求項７に記載の光源。
【請求項９】
一次放射を発する少なくとも１つの発光ダイオードを備えると共に、前記発光ダイオードに接続されている層であって前記一次放射を二次放射に変換する少なくとも１つの発光材料を含んでいる層を有する光源を使用するステップと、
パルス幅（パルス期間）及びパルス間の距離（スイッチングオフ期間）を含むパルス成形された電流によって前記ダイオードを駆動するスイッチング装置を使用するステップであって、前記発光材料の飽和度がパルス毎のエネルギ密度によって調整されると共に、全体の光出力がパルスの数によって制御される、ステップと、
を有する光を生成する方法であって、
減衰期間を有する前記発光材料は、前記光源を出る前記一次放射及び／又は前記二次放射を含む光の輝度及び色を互いから独立に変化させるように、前記一次放射によって励起され、前記パルス幅は前記減衰期間に等しい、方法。
【請求項１０】
前記パルス間の距離は、前記発光材料の前記減衰期間よりも大きく、特に、前記パルス間の距離は前記減衰期間の少なくとも２倍大きいことを特徴とする、請求項９に記載の方法。
【請求項１１】
前記光源を出る光の輝度は、前記パルス間の距離を変化させることによって変化可能であり、これにより前記光の色は、ほぼ一定であることを特徴とする、請求項９又は１０に記載の方法。
【請求項１２】
前記光の色は、前記パルス成形された電流の強度を変化させることによって変化可能であることを特徴とする、請求項９乃至１１の何れか一項に記載の方法。
【請求項１３】
請求項１乃至８の何れか一項に記載の光源を使用している請求項９乃至１２の何れか一項に記載の方法。
【発明の詳細な説明】
【技術分野】
【０００１】
本発明は、一次放射を発する少なくとも１つの発光ダイオードを備える光源であって、前記ダイオードに接続されている層を有する光源において、前記層が前記一次放射を二次放射に変換する少なくとも１つの発光材料を含んでいる、光源に関する。
【背景技術】
【０００２】
蛍光体変換ＬＥＤのような発光ダイオード（ＬＥＤ）は、高いカラーレンダリング指数によって光を生成することが知られている。しかしながら、広い色温度範囲において個々の蛍光体変換ＬＥＤの各々について光の色温度は固定されている。
【発明の開示】
【発明が解決しようとする課題】
【０００３】
かなり不利である点は、前記蛍光体への励起密度を増加させることにより、前記蛍光体は、基底状態の欠乏（depletion）又は発光の熱クエンチングにより飽和し始める。前記のような飽和の過程の間、前記発光材料を有する層は、ますます一次放射を透過する。従って、前記光源を出る光の色（前記一次放射と前記二次放射の混合）が、変化される。前記のような既知の光源の１つの不利な点は、前記光源を出る前記光の色が、前記光の輝度が変化する場合に変化することである。もう１つの問題は、各ダイオードの温度が、前記のような電力損失の増加によって上昇することである。
【０００４】
本発明の目的は、上述の不利な点を解消することにある。特に、本発明の目的は、簡潔であり、光を生成するために容易に調整されることができる光源であって、発光ダイオードの温度を実質的に増加させることなく光の色及び／又は輝度が容易に変化可能である光源を提供することにある。
【課題を解決するための手段】
【０００５】
この目的は、本発明の添付請求項１によって教示されているような光源によって達成される。従って、前記光の輝度及び色の各々が独立に変化可能であるような仕方において、一次放射及び／又は二次放射を含む光を供給するためにパルス成形された電流によって前記ダイオードを駆動させる切換え装置を含む光源が、提供される。このことは、前記光の輝度が前記光の色の変化を伴うことなく変化可能である及び／又は前記光の色が前記光の輝度の変化を伴うことなく光の色が変化可能であることを意味する。
【０００６】
好ましくは、前記パルス成形された電流は、パルス幅変調されており、これにより、可能な実施例において、前記一次放射は、可視光であっても良く又は不可視光であっても良い。本発明の好適実施例によれば、前記一次放射は、紫外光の近くのもの（第１ピーク波長は、２５０ｎｍから３８０ｎｍまでの範囲内である）又は青色光（第１ピーク波長は、３８０ｎｍから４８０ｎｍの範囲内である）である。この発明の本質的な考え方の１つは、パルス成形された電流によって前記ダイオードを駆動する際、全体の光出力は、パルスの数によって制御されることができるのに対し、前記発光材料の飽和は、パルス毎のエネルギ密度（単位Ｊ／ｃｍ２／ｓ）によって調整されることができるという事実に基づくものである。本発明のこの装置によって、前記ダイオードは、前記層に放射状に広がる（radiating）一次放射を発する。有利には、前記蛍光材料は、前記一次放射からの光子によって励起される蛍光体を含んでいる。
【０００７】
（特に、前記一次放射の）前記パルス成形された電流の励起密度に依存して、前記発光材料は、基底状態の欠乏により飽和し始める。この飽和の過程の間、前記蛍光体によって前記二次放射に変換される前記一次放射の部分（fraction）は、飽和が生じていない状況と比較して、減少する。前記蛍光体に依存して、前記二次放射は、種々の色に変換されることができる。勿論、本発明は、色の変化に輝度の変化が伴う及び輝度の変化が色の変化に伴うような仕方において、駆動されることができる。
【０００８】
有利には、前記光の色及び輝度は、パルス幅変調（ＰＷＭ）を使用することによって互いに独立に調整されることができる。飽和の程度は、前記パルス内におけるエネルギ密度によって決定され、前記輝度は、前記パルスの周波数によって調整される。このようにして、前記色及び輝度の調整可能性は、前記蛍光体の発光の熱クエンチング及び前記ＬＥＤのカプセル化の熱劣化を生じ得る前記ＬＥＤの電力損失の許容不可能な増加を伴うことなく、得られることができる。最後に、本発明をセンサと組み合わせて使用することにより、前記ＬＥＤの光の色点は、長時間、一定に保持されることができる。
【０００９】
好ましくは、前記層はセラミック蛍光体層である。前記飽和のレベルに依存して、前記ダイオードによって発せられる一次放射は、多かれ少なかれ、前記層を透過する。前記光源を出る光は、前記一次放射及び／又は二次放射を含んでいる。従って、光の色は、前記一次放射及び／又は二次放射の色の混合によって生成される。本発明の好適実施例において、前記一次放射は青色光である。例えば、ＣａＳ：Ｅｕを前記層内の蛍光体要素として使用すると、前記一次放射は、前記蛍光体によって赤色を有する二次放射に変換される。前記蛍光体の飽和の程度に依存して、ある程度の青色放射は前記層を透過し、これにより或る量の赤色放射が前記蛍光体によって生成される。結果として生じる（outcoming）光は、前記赤色放射と前記青色放射との混合である。飽和されている場合、前記青色光のための前記層の前記透過性は増大される。本発明によれば、ＬＥＤによって生成される一次色（青色）と、ＣａＳ：Ｃｅによって生成される赤色の発光色との間のｘｙ色度図における線上に位置される全ての色が、前記光源を出る前記のような光のために生成されることができる。主な利点の１つは、１つのダイオードを備える１つの現在の光源が、種々の、変化可能な色を有する結果として生じる光を生成することができる。
【００１０】
更に、前記層は、以下の蛍光体の１つ以上を有しているのが好ましい。
（赤色光）
ＣａＳ：Ｅｕ，ＳｒＳ：Ｅｕ，（Ｃａ，Ｓｒ）Ｓ：Ｅｕ，（Ｙ，Ｇｄ）２Ｏ２Ｓ：Ｅｕ，Ｙ（ＶＯ４）：Ｅｕ，（Ｓｒ，Ｂａ，Ｃａ）２Ｓｉ５Ｎ８：Ｅｕ
（緑／黄色光）
Ｙ３Ａｌ５Ｏ１２：Ｃｅ，（Ｙ，Ｇｄ）３Ａｌ５Ｏ１２：Ｃｅ，（Ｂａ，Ｓｒ，Ｃａ）２ＳｉＯ４：Ｅｕ，ＣａＳ：Ｃｅ，ＺｎＳ：Ｃｕ，Ｌａ（ＰＯ４）:（Ｃｅ，Ｔｂ），（Ｃｅ，Ｔｂ）Ａｌ１２Ｏ１９，（Ｃｅ，Ｇｄ，Ｔｂ）ＭｇＢ５Ｏ１０，ＢａＭｇＡｌ１０Ｏ１７：Ｅｕ，Ｍｎ，ＺｎＳ：Ａｕ
（青色光）
ＣａＳ：Ｃｕ，ＳｒＳ：Ａｇ，ＺｎＳ：Ａｇ，ＢａＭｇＡｌ１０Ｏ１７：Ｅｕ又は（Ｃａ，Ｓｒ，Ｂａ）５（ＰＯ４）３Ｃｌ：Ｓｂ，（Ｃａ，Ｓｒ，Ｂａ）５（ＰＯ４）３Ｃｌ：Ｅｕ
（白色光）
（Ｃａ，Ｓｒ，Ｂａ）５（ＰＯ４）３（Ｆ，Ｃｌ）：Ｓｂ，Ｍｎ，（Ｃａ，Ｓｒ，Ｂａ）５（ＰＯ４）３（Ｆ，Ｃｌ）：Ｅｕ，Ｍｎ
【００１１】
例えば、前記光の色は、前記一次放射及び前記二次放射を混合することによって生成されることもできる。白色光は、前記のような色の青色及び黄色と青色とを組み合わせることによって達成されることができる。他の可能性は、前記のような色の緑色と赤色とを組み合わせることである。
【００１２】
前記のような白色発光蛍光体を使用することにより、高感度化（sensitising）イオン及び付活剤（activator）イオンの飽和の振る舞いにおける違いが、前記色及び輝度の同調に使用されることができる。
【００１３】
好ましくは、蛍光体の混合物において、上述の蛍光体は、異なる飽和の振る舞いを有している。このことは、前記層を或る密度を有するパルス成形された電流によって励起させることによって、前記蛍光体の幾つかは前記不飽和モードにあることができ、これにより他の埋め込まれた蛍光体は既に飽和モードにあることを意味する。従って、前記光源は、前記光源に接続された切換え装置によって生成される或るパルス成形された電流によってダイオードを駆動することにより、全ての可能な色を生成することができる。
【００１４】
本発明の他の好適な実施例によれば、前記層は、１．５ｇ／ｃｍ３≦ｄ≦１０ｇ／ｃｍ３である蛍光体材料の密度ｄを有する。
【００１５】
本発明によれば、前記光源は、1μｍ≦ｎ≦1ｍｍである厚さｎを有する層を有することができ、これにより前記層は、嵌合、粘着結合及び／又は摩擦接続の形成によって前記ダイオードに接続されることができる。更に好適な実施例において、厚さｎは、１０μｍ≦ｎ≦５００μｍの範囲にあることができる。確かに、代替的な実施例において、前記層の厚さｎは、１ｍｍよりも大きくても良く、例えば１ｃｍであっても良い。この場合、前記のような発光層は、セラミック層の形態を有していても良い。代替的には、前記発光材料は、ガラス内に埋め込まれていても良い。
【００１６】
更に、前記層は、蛍光体の粒子を含んでおり、前記層が少なくとも１つの粒状層を有することが好適である。好ましくは、前記層は、複数の１≦ｘ≦１０であるｘ個の粒状層を有する。更に好適な実施例において、前記層は、２≦ｘ≦５であるｘ個の粒状層を含んでいる。パルス成形された電流によって前記ダイオードを駆動させる間、この粒状層は、前記一次放射及び／又は二次放射の或る散乱を生じ、このことは、前記光源を出る光の混合に重要である。前記光の強い散乱は、前記蛍光体層を介する前記ＬＥＤのポンプ光の透過を減少させる又は防止さえすると考えられなければならない。この理由のため、２〜５つの粒状層の厚さを有する層が好ましい。
【００１７】
前記のような好適な発明は、一次放射を発する少なくとも１つの発光ダイオードを有する光源であって、前記ダイオードに接続されている層を有する光源を含む異なる色を有する光を生成する方法であって、前記層は、前記一次放射を二次放射に変換する少なくとも１つの発光材料と、パルス幅（パルス期間）及び前記パルス間の距離（スイッチングオフ期間）を有するパルス成形された電流によって前記ダイオードを駆動する切換え装置とを含んでおり、減衰期間を有する前記発光材料は、前記一次放射及び／又は前記二次放射を含む光の輝度及び色が、互いから独立に変化可能であるような仕方において、前記一次放射によって励起され、これにより前記パルス幅は前記減衰期間にほぼ等しい、方法に関する。前記パルス幅及び前記パルス高さは、前記発光材料のうちの１つ以上の飽和を調整するのに使用される。好ましくは、前記スイッチングオフ期間は、前記発光材料の減衰期間よりも大きい。本発明の好適実施例において、前記スイッチングオフ期間は、前記減衰期間よりも少なくとも２倍だけ大きく、更に好適な実施例において、前記スイッチングオフ期間は、前記減衰期間の少なくとも３〜５倍だけ大きい。
【００１８】
本発明の有利な点の１つは、前記光源を出る光の輝度が、パルス間の距離を変化させることによって変化可能であり、これにより前記光の色が、ほぼ一定であることにある。前記ダイオードの駆動の間、前記スイッチングオフ期間が減少されることが可能であり、これにより結果として生じる光の輝度が向上される一方で、結果として生じる光の色は、実質的に変化しない。有利には、前記ＬＥＤは固定されたパルス幅によって励起され、これにより前記パルスのエネルギの変化が、飽和の程度を変化させる。前記パルスのエネルギを増加させることにより、前記飽和の振る舞いが達成されることができる。従って、前記光の色は変化する。長いオフ期間による前記ＬＥＤの駆動の結果は、前記蛍光体の付活剤が、次のパルスが印加される前に基底状態に到達することである。従って、前記オフ期間の更なる増大により、色を変化させることなく前記輝度を減少させることができる。前記パルスの高さ及びＰＷＭの適切な調整により、色が、前記輝度の変化を伴うことなく変化することができる。更に、光を生成する現在の方法は、２つ以上の付加的な色が前記発光変換層によって生成される場合、ＬＥＤの発光における僅かな波長の変化によって誘発される効果を減少する。この場合、センサが、必要とされるかもしれない。更に、本発明は、蛍光体の劣化による効果を補正する機会を提供する。
【００１９】
上述の光源及び方法は、自動車システム、家庭用照明システム、ディスプレイのためのバックライトシステム、アンビエント照明システム、（調整可能な色による）カメラ用フラッシュ又は店舗照明システムであるシステムのうちの様々なシステムにおいて使用されることができる。上述の構成要素と、添付請求項に記載されている構成要素と、記載される実施例において本発明によって使用されるべき構成要素とは、技術的概念としての大きさ、形状又は材料の選択に関して、適切な分野において知られている前記選択の基準が限定を伴うことなく適用されることができるように、如何なる特別な例外の影響を受けないものである。
【００２０】
本発明の目的の更なる詳細、特徴及び有利な点は、添付の従属請求項及び本発明による光源の模範的な様式を示す（fashion-show）一つの好適な実施例であるそれぞれの図の以下の記載に開示されている。
【発明を実施するための最良の形態】
【００２１】
図１は、切換え装置７に接続されている１つの発光ダイオード２を有する光源１を示している。ダイオード２の上部には、発光層５を有する層４が位置されている。パルス成形された電流によってダイオード２を駆動する場合、ダイオード２は、層４に向かう方向に放射される可視光３を発する。この実施例において、可視光３（一次放射）は青色光であり、第１のピーク波長は４５５ｎｍである。白色ダイオード２は、一次の青色放射３を発し、層４内に埋め込まれている発光材料５は、青色放射３の光子によって励起され、これにより青色光３は、二次放射６に変換される。図１及び２に示されている実施例において、発光材料５は、前記変換の間、黄色光を発する蛍光体を有し得る。上述の図１及び図２において、ＣａＳ：Ｅｕが、蛍光体材料として使用されている。
【００２２】
パルス幅変調（ＰＭＷ）の励起密度を増加させると、蛍光体５は、基底状態の欠乏により飽和し始める。得られる結果は、蛍光体層４が、更に青いポンプ光を透過することである。前記のような不飽和モードにおいて、図１に示されているように、光源１は、ほぼ琥珀色を有する光を生じる。蛍光体５が飽和されている状態の場合、多くの青色放射３が層４によって透過される。このことは、前記のような飽和されている場合において、青色光３に対する層４の増加された透過性のために、より多くの青色光３が光源１を出ることを意味する。
【００２３】
この結果として生じる光は、一次放射３及び二次放射６を含む。蛍光体５に対する励起密度を変化させることにより、蛍光体５の飽和の程度が調整されることができる。前記励起密度に依存して、一次放射３及び二次放射６の色の混合である結果として生じる光の色が、生成されることができる。
【００２４】
図１及び図２によれば、光源１の前記結果として生じる光は、青色と黄色との間の全ての色を含むことができる。
【００２５】
蛍光体５は、有機材料（例えば、アクリル又はシリコン材料で有り得る）内に埋め込まれる。上述の蛍光体５は、一粒子（single grains）５であり、これにより層４内の蛍光体材料５の密度は、約５ｇ／ｃｍ３である。層４の厚さは約１０μｍである。図１及び図２に示されているように、層４は、４つの粒状層８から構成されている。層４が粒状層８を多く含むほど、前記結果として生じる光は、発光材料５によって、より散乱される。このことは、粒状層８の数を増加させる場合、光源１によって生成される前記結果として生じる光は、より少ないことを意味する。このコヒーレンスは、他の上述していない光源の光の生成に関しても重要であり得る。
【００２６】
驚くべきことに、パルス幅１０（パルス期間）及びパルス１１間の距離（スイッチングオフ期間）を含むパルス成形された電流９によってダイオード２を駆動する場合、一次放射３及び／又は二次放射６を含む光の輝度及び光は、互いから独立に変化可能であり、これによりパルス幅１０は、実質的に減衰期間に等しい。図３は、ダイオード２を駆動するパルス成形された電流９の２つの模式図を示している。有利には、スイッチングオフ期間１１を前記減衰期間の少なくとも３倍の大きさの期間に設定する場合、前記光の輝度は、結果として生じる光の色を変化させることなく、変化可能である。前記のような示された実施例において、スイッチングオフ期間１１は、前記減衰期間の５倍だけ大きい。図３に示されているように、スイッチングオフ期間１１'を短縮することによって、前記結果として生じる光の輝度が増加され、これにより前記結果として生じる光の色もほぼ一定である。確かに、パルス１１間の距離が、前記減衰期間よりも小さくあっても良く、特に前記減衰域間に等しくても良い。
【００２７】
上述の実施例において、基底状態の欠乏による飽和は、励起光子Ｉの数、励起されている体積内の発光イオンの数（Ｎ）及び前記蛍光体の（特に蛍光体５に含まれている付活剤の発光の）減衰期間τは、
0005419452.tif 000002
の関係を示す。
【００２８】
連続的励起及び準連続的励起に関するこの数式は、前記のような励起パルスの期間が、前記放出減衰期間よりも著しく長い場合に得られる。飽和の効果は、前記励起パルスの期間が前記放出減衰期間よりも短い場合においても観測され得る。発光面積１ｍｍ２、蛍光体層の厚さ１０μｍ、パッキング密度５０％、蛍光体材料の密度５ｇ／ｃｍ３、モル質量１００ａｍｕ、付活剤密度１％及び減衰期間１μｓを仮定すると、飽和は、約１０２１／ｃｍ２を越える値Ｉの場合に期待される。これは、約５０Ｗ／ｍｍ２の励起エネルギに対応する。従って、速い減衰をする蛍光体（減衰期間＜＜１μｓ）は、典型的な濃度の付活剤が使用される場合、基底状態の欠乏の結果としての飽和を示すことはない。これらの蛍光体を使用するにもかかわらず、付活剤の濃度は減少されなくてはならない。このことは、より小さい光学吸収を含んでおり、前記光学吸収は、より大きい蛍光体の粒子を使用することによって再び向上されることができる。代替的には、セラミック蛍光体層又はガラスに埋め込まれた発光材料が、使用されることができる。
【００２９】
上述していない他の実施例において、前記のような放出が高感度化されることができる場合、禁制遷移を示す付活剤を有する蛍光体５も使用されることができる。例えば、１ｍｓの放出の減衰期間を仮定する場合、高感度化された放出の飽和は、約０．０５Ｗ／ｍｍ２のエネルギ密度において既に期待される。エネルギ効率の強度な損失を防止するために、前記のような高感度化するものの放出が活用されることもできる（付活剤へのエネルギ移動が、多くの前記付活剤イオンが励起されるという事実により妨害されるので、前記高感度化するものの放出の強度は増大する）。
【００３０】
代替的には、蛍光体セラミックである層４は、前記変換の間に二次放射６を発する種々の蛍光体５を有することができる。例えば、この放射６は、緑色又は青色を含み得る。好ましくは、異なる飽和の振る舞いを有する蛍光体５を使用することにより、多くの異なる色の結果として生じる光が生成されることができる。ＰＭＷによって励起密度を増加させると、前記結果として生じる光の色は、これに応じて変化する。
【００３１】
確実に、上述した実施例のダイオード２は、第１のピーク波長が２５０乃至３８０ｎｍの範囲内にある紫外光を発することができる。好ましくは、ＣａＳ：Ｃｕ，ＳｒＳ：Ａｇ，ＺｎＳ：Ａｇ，ＢａＭｇＡｌ１０Ｏ１７：Ｅｕ又は(Ｃａ、Ｓｒ、Ｂａ)５(ＰＯ４)３Ｃｌ：Ｓｂ、(Ｃａ、Ｓｒ、Ｂａ)５(ＰＯ４)３Ｃｌ：Ｅｕが、層４内の蛍光体５として使用される。これらの蛍光体５は、ダイオード２によって発せられる紫外光によって励起され、前記紫外光を青色光に変換する。有利には、前記層４は、一次放射３を（例えば、黄色、緑色又は白色のような様々な色を有する）二次放射６に変換する蛍光体５を付加的に有している。
【００３２】
本発明は、上述の１つの光源のアレイを有する光源システムも参照するものである。
【図面の簡単な説明】
【００３３】
【図１】ダイオードと不飽和モードにある発光材料を有する層とを含む光源の模式図である。
【図２】前記発光材料が飽和モードにある、図１による光源を示している。
【図３】図１によるダイオードを駆動するパルス成形された電流の模式図を示している。
【符号の説明】
【００３４】
１  光源
２  発光ダイオード、ＬＥＤ
３  一次放射
４  層
５  発光材料、粒子
６  二次放射
７  切換え装置
８  粒状層
９  パルス成形された電流
１０  パルス幅、パルス期間
１１  スイッチングオフ期間、パルス間の距離
【図１】
0005419452.tif 000003
【図２】
0005419452.tif 000004
【図３】
0005419452.tif 000005